【事件の表示】
　平成１年特許願第２３３３８３号「パチンコ球を使用する遊技機」拒絶査定に対する審判事件（平成３年４月１９日出願公開、特開平３−９４７８７）について、次のとおり審決する。
【結論】
　本件審判の請求は、成り立たない。
【理由】
　【１】本件の出願は、平成１年９月８日の特許出願であって、その発明は、平成７年９月７日付けおよび平成８年１月１２日付けで補正された明細書および出願当初の図面の記載からみて、その特許請求の範囲に記載されたとおりの、
「複数の図柄を変動表示し得る図柄変動表示装置と、該図柄変動表示装置を始動する始動口とを備え、遊技球が始動口に入賞すると前記図柄変動表示装置が始動して図柄の変動表示を行う遊技機において、賞品球を計数して排出する賞球排出装置と、前記図柄変動表示装置の変動表示が停止したときの図柄の組合せを判断して図柄の組合せに応じた信号を発する判断手段と、該判断手段からの信号に基づいて前記賞球排出装置を直接作動させて、図柄の組合せに応じて所定の賞品球を排出する制御手段と、パチンコ球が入賞すると所定の賞品球を排出する入賞口と、を設けたことを特徴とするパチンコ球を使用する遊技機。」
（以下、「本願発明という。」）であるものと認める。
　【２】これに対して、
［２−１］原審における平成７年１０月２４日付けの拒絶理由通知書において引用した特開昭６１−１７２５７２号公報（以下、「第１引用例」という。）には、例えば、
（１）公報第２頁左上欄第１６行〜右上欄第３行の
『第１図は、パチンコ機１の正面図であって、その遊戯板面２の中央部には、三個の７セグメントＬＥＤ表示器３ａ，３ｂ，３ｃが設けられており、その両側及び下部には、ＧＯチャッカー（入賞玉受口器）４が配設されている。また中央下部には前後開閉式の入賞玉受口器５が配設され、その開閉制御をソレノイド６により施すようにしている。』なる記載、
（２）同第２頁右下欄第１〜３行の
『前記表示駆動回路２２は、中央処理装置ＣＰＵからの表示制御信号に基いて７セグメントＬＥＤ表示器３ａ，３ｂ，３ｃを駆動制御する。』なる記載、
（３）同第２頁右下欄第１６行〜第３頁右上欄第１行の
『前記各ＬＥＤ表示器３ａ，３ｂ，３ｃは、夫々『０』〜『９』までの数値を順次循環表示する。次に、遊戯者による押釦スイッチ１１の押圧で、循環駆動が停止し、前記ＬＥＤ表示器３ａ，３ｂ，３ｃは、夫々各別の数値を静止表示する。・・・（中略）・・・この静止表示がなされると、その表示内容に関係して、ソレノイド駆動回路２４が所定時間駆動し、入賞玉受口器５が開く。
　前記表示内容と、前記駆動時間の関係の一例を示すと、『０・０・０』，『２・２・２』，『４・４・４』，『８・８・８』が表示されると、・・・（中略）・・・『７・７・７』，『９・９・９』が表示されると、いわゆる『フィーバー』状態となり３０秒間開き、かつ入賞玉受口器５に入賞する毎に、所定回開放時間が更新される。』
なる記載、そして、
（４）図面、特に第１図の上部中央および下部の左右に図示されている「一般的な入賞玉受口器」（符号なし）の存在、さらに、
（５）例えば、上記のような「一般的な入賞玉受口器」あるいは特別な入賞玉受口器である入賞玉受口器５等にパチンコ球が入賞した場合、賞品としてのパチンコ球を所定の数に計数して排出する排出装置が備えられていることは、この種の公知のパチンコ機において当然の構成であること、等からみて、
　『０』〜『９』までの数値を循環表示し得る７セグメントＬＥＤ表示器３ａ，３ｂ，３ｃと、該７セグメントＬＥＤ表示器３ａ，３ｂ，３ｃを作動するＧＯチャッカー（入賞玉受口器）４とを備え、操作ハンドル１０の操作による打球がＧＯチャッカー（入賞玉受口器）４に入賞すると前記７セグメントＬＥＤ表示器３ａ，３ｂ，３ｃが作動して数値の循環表示を行うパチンコ機において、賞品としてのパチンコ球を所定の数に計数して排出する排出装置と、前記７セグメントＬＥＤ表示器３ａ，３ｂ，３ｃの循環表示が停止したときの数値の表示内容を判断して数値の表示内容に応じた信号を発する中央処理装置ＣＰＵにおける判断部と、該中央処理装置ＣＰＵにおける判断部からの信号に基づいて入賞玉受口器５を所定時間開き、該入賞玉受口器５への入賞球に応じて前記排出装置を作動させて、所定の賞品としてのパチンコ球を排出する中央処理装置ＣＰＵにおける制御部と、パチンコ球が入賞すると所定の賞品としてのパチンコ球を排出する一般的な入賞玉受口器と、を設けたパチンコ機、
が記載されているものと認められる。
［２−２］また、同じく引用した特開平１−１０７７８６号公報（以下、「第２引用例」という。なお、第２引用例は、前記拒絶理由通知書に記載した特開昭６４−１０７７８６号公報と同じものである。）には、例えば、
（１）公報第１頁右下欄第１３〜１６行の
『本発明は、パチンコ球を一単位としてゲームにかけ、ゲーム結果の重みに応じて予め定められた球数のパチンコ球を支払う形式の遊戯機のゲーム装置に関する。』
なる記載、
（２）同第３頁左上欄第１３〜１５行の
『ゲーム装置３は数字や絵柄等の符号の表示を移動させる移動表示手段としての回転ドラム４を３個有している。』
なる記載、
（３）同第４頁左下欄第７〜１６行の
『スタートスイッチ８５を押すと、スタートランプ７３が点灯し、３個の回転ドラム４が一斉に回転する。任意のストップスイッチ８７を押すことにより、対応する１つの回転ドラム４が停止する。遊戯者が賭けた方向ライン７１上に、回転ドラム４の予め定めた特定の組合せ（賞態様）の１つが並んだときは、その組合せの重みに従って約束された得点に対応する賞球数が、賞球排出装置２６（第３図）により、賞球出口１８Ａから供給皿１８に排出される。』
なる記載、そして、
（４）図面、特に第１，３，５図の記載内容、さらに、
（５）上記（３）の記載内容から、第２引用例のパチンコ球を用いた遊戯機が、回転ドラム４の予め定めた特定の組合せを判断して予め定めた特定の組合せに応じた信号を発する「判断手段」と、該判断手段からの信号に基づいて賞球排出装置２６を直接作動させて、予め定めた特定の組合せに応じて約束された得点に対応する賞球数を排出する「制御手段」とを有していることが明らかであること、
等からみて、
　数字や絵柄等の符号の表示を移動させる移動表示手段としての回転ドラム４を３個有しているゲーム装置３（本願発明の「複数の図柄を変動表示し得る図柄変動表示装置」に相当する。以下、括弧内は本願発明の相当する構成等を示す。）を備え、前記ゲーム装置３（図柄変動表示装）が始動して符号の移動表示（図柄の変動表示）を行う遊戯機（遊技機）において、組合せの重みに従って約束された得点に対応する賞球数を排出する賞球排出装置２６（賞品球を計数して排出する賞球排出装置）と、前記ゲーム装置３（図柄変動表示装置）の移動（変動）表示が停止したときの予め定めた特定の組合せ（図柄の組合せ）を判断して予め定めた特定の組合せ（図柄の組合せ）に応じた信号を発する判断手段と、該判断手段からの信号に基づいて前記賞球排出装置２６（賞球排出装置）を直接作動させて、予め定めた特定の組合せ（図柄の組合せ）に応じて約束された得点に対応する賞球数（所定の賞品球）を排出する制御手段と、を設けたパチンコ球を用いた遊戯機（パチンコ球を使用する遊技機）、
が記載されているものと認められる。
　【３】そこで、上記第１引用例に記載されたもの（以下、単に「第１引用例のもの」という。）と本願発明とを比較すると、第１引用例のものにおける「『０』〜『９』までの数値」、「循環表示」、「７セグメントＬＥＤ表示器３ａ，３ｂ，３ｃ」、「作動」、「ＧＯチャッカー（入賞玉受口器）４」、「操作ハンドル１０の操作による打球」、「数値の循環表示」、「パチンコ機」、「賞品としてのパチンコ球」、「排出装置」、「数値の表示内容」、「中央処理装置ＣＰＵにおける判断部」、「中央処理装置ＣＰＵにおける制御部」そして「一般的な入賞玉受口器」は、それらの機能または作用等からみて、それぞれ、順に、本願発明における「複数の図柄」、「変動表示」、「図柄変動表示装置」、「始動」、「始動口」、「遊技球」、「図柄の変動表示」、「遊技機」あるいは「パチンコ球を使用する遊技機」、「賞品球」、「賞球排出装置」、「図柄の組合せ」、「判断手段」、「制御手段」そして「入賞口」に相当すると認められるので、本願発明と第１引用例のものとは、
　複数の図柄を変動表示し得る図柄変動表示装置と、該図柄変動表示装置を始動する始動口とを備え、遊技球が始動口に入賞すると前記図柄変動表示装置が始動して図柄の変動表示を行う遊技機において、賞品球を計数して排出する賞球排出装置と、前記図柄変動表示装置の変動表示が停止したときの図柄の組合せを判断して図柄の組合せに応じた信号を発する判断手段と、該判断手段からの信号に基づいて前記賞球排出装置を作動させて、所定の賞品球を排出する制御手段と、パチンコ球が入賞すると所定の賞品球を排出する入賞口と、を設けたパチンコ球を使用する遊技機、
である点で一致しており、下記の点で相違していると認められる。
　制御手段が判断手段からの信号に基づいて賞球排出装置を作動させて所定の賞品球を排出するにあたり、上記第１引用例のものにおいては、制御手段が判断手段からの信号に基づいて入賞玉受口器５を所定時間開き、該入賞玉受口器５への入賞球に応じて賞球排出装置を作動させて、所定の賞品球を排出するようにしているのに対して、本願発明においては、制御手段が判断手段らの信号に基づいて賞球排出装置を直接作動させて、図柄の組合せに応じて所定の賞品球を排出するようにしている点。
　【４】上記相違点について検討する。
　上述したように、複数の図柄を変動表示し得る図柄変動表示装置を備えたパチンコ球を使用する遊技機において、判断手段からの図柄の組合せに応じた信号に基づいて賞球排出装置を直接作動させて、図柄の組合せに応じて所定の賞品球を排出する制御手段を備えることは、第２引用例に記載されている。
　そして、第１引用例のものの制御手段に代えて、上記第２引用例に記載された制御手段そのものを単に転用して、本願発明のもののように構成する程度のことは、格別の技術的困難性を要することなく、事業者が必要に応じて容易になし得たものと認められる。
　また、本願発明の要旨とする構成によってもたらされる明細書に記載の効果も、第１引用例のものおよび上記第２引用例に記載された制御手段から、当業者であれば予測できる範囲のものであって、格別なものとはいえない。
　【５】したがって、本願発明は、その出願前に当業者が第１引用例のものおよび第２引用例に記載された制御手段に基いて容易に発明をすることができたものと認められ、特許法第２９条第２項の規定により、特許を受けることができない。
　よって、結論のとおり審決する。